(57)【特許請求の範囲】
【請求項１】
「クランプ本体−くさび部材−ロッド保持体−ハンガーロッド」が一体的に連結されて構成され、電線を支持物に引き留めるための電線引留クランプであって、
前記クランプ本体は、断面Ｕ字形をなして、その内部には電線把持溝が形成され、
前記くさび部材は、前記クランプ本体の電線把持溝との間に電線を把持するための電線把持溝を有するくさび部と、前記ハンガーロッドを保持するロッド保持体に連結される引留部と、を有し、
前記ハンガーロッドはＵ字形状をなして、前記ロッド保持体に接続する端部側の２つの連結部と、前記支持物側部材に連結される湾曲部と、それらの間の直線部とを有し、
前記ハンガーロッドの湾曲部を含む所定個所が、ハンガー絶縁部として設定され、
前記ハンガー絶縁部はポリエチレン材料によって被覆されており、
かつ、前記ハンガーロッドは、直線状の材料をＵ字形にして前記湾曲部を有するように形成されたものであり、
前記ハンガー絶縁部におけるポリエチレン材料の被覆は、前記直線状の材料をＵ字形にする前に、前記直線状の材料上に射出成形手段によって形成される、ことを特徴とする電線引留クランプ。
【発明の詳細な説明】
【技術分野】
【０００１】
本発明は、電線を電柱のような支持体に引留めるために用いる電線引留クランプに係り、より詳細には、電柱の碍子金具等に連結するためのハンガーを備えた低圧配電用の電線引留クランプに関するものである。
【背景技術】
【０００２】
電力供給のための配電分野では、電線を電柱のような支持体に引留めるために引留クランプを用いているが、図１−３に一例として示す電線引留クランプは、低圧配電線を引き留めるためのくさび式の電線引留クランプ１００である。
電線引留クランプ１００は、電線を挿入してそれを把持する電線把持溝５が形成された断面Ｕ形のクランプ本体１と、電線把持溝５の中に挿入されて協働して電線をクランプするくさび部材２とを備えている。
このくさび部材２は、ハンガーロッド保持体３に連結された外観がＵ形のハンガーロッド４により、電柱の碍子金具等に連結引留される。
【０００３】
本発明のような低圧電線用の電線引留クランプにおいて、電柱の碍子金具等に連結するためのハンガーの絶縁部にかかわる技術が開示されている文献としては、例えば次のような特許公報があり、これらの文献１，２には、ハンガーロッド部を塩化ビニルで被覆したものが記載されている。
【先行技術文献】
【特許文献】
【０００４】
【特許文献１】特開平１１−１７８１７９号公報（大同電機工業）
【特許文献２】特開平１０−１２６９３１号公報（旭電機）
【発明の概要】
【発明が解決しようとする課題】
【０００５】
従来品の低圧用の電線引留クランプでは、ハンガーの絶縁部は塩化ビニルで被覆されている。その製造方法は、粉末の塩ビに可塑剤を混ぜ流動性を持たせたものを心金に付着させ、塩ビの融点以上に温度を高めることで塩化ビニルに可塑剤が混ざり、その状態で温度を融点以下として、心金上に塩ビの層を形成するものである。
しかしながら、塩化ビニルは塩素を含み、処分時に手順を誤ると有害物質が放出されることが懸念される。
また、この塩ビに混ぜ合わせている可塑剤は、人体内部に入ると悪影響をきたす環境ホルモン物質であり、誤って体内に入ると人体への影響が懸念される。
【０００６】
本発明による電線引留クランプは、上述のような問題点を解決するためになされたものであり、ハンガーロッドのハンガー絶縁部を、環境や人体に悪影響を及ぼさない物質から構成し、そして、ハンガーの絶縁部を低コストで安定した品質を提供できる製造手段を提供することをその目的としている。
【課題を解決するための手段】
【０００７】
（１）「クランプ本体−くさび部材−ロッド保持体−ハンガーロッド」が一体的に連結されて構成され、電線を支持物に引き留めるための電線引留クランプであって、
前記クランプ本体は、断面Ｕ字形をなして、その内部には電線把持溝が形成され、
前記くさび部材は、前記クランプ本体の電線把持溝との間に電線を把持するための電線把持溝を有するくさび部と、前記ハンガーロッドを保持するロッド保持体に連結される引留部と、を有し、
前記ハンガーロッドはＵ字形状をなして、前記ロッド保持体に接続する端部側の２つの連結部と、前記支持物側部材に連結される湾曲部と、それらの間の直線部とを有し、
前記ハンガーロッドの湾曲部を含む所定個所が、ハンガー絶縁部として設定され、
前記ハンガー絶縁部はポリエチレン材料によって被覆されており、
かつ、前記ハンガーロッドは、直線状の材料をＵ字形にして前記湾曲部を有するように形成されたものであり、
前記ハンガー絶縁部におけるポリエチレン材料の被覆は、前記直線状の材料をＵ字形にする前に、前記直線状の材料上に射出成形手段によって形成される、ことを特徴とする電線引留クランプ。
【発明の効果】
【０００９】
電線引留クランプのハンガーロッドのハンガー絶縁部を、従来の塩化ビニル等の環境負荷物質から、人体に悪影響を及ぼさず環境にやさしい物質の使用へと転換し、ハンガー絶縁部の製造するにあたっても、作業者にやさしい環境において、低コストで安定した品質の製品を供給することができる。
【図面の簡単な説明】
【００１０】
【図１】本発明による電線引留クランプの側面図である。
【図２】図１の電線引留クランプの裏面図である。
【図３】図１の電線引留クランプの左側面図である。
【図４】図１の電線引留クランプの連結ピンの側面図である。
【図５】図１の電線引留クランプが電線を引き留めた状態を示す図である。
【図６】本発明によるハンガーロッドの構成を示す図である。
【発明を実施するための形態】
【００１１】
図１−６は、本発明の電線引留クランプの一実施形態を示す図であり、図１は、本発明による電線引留クランプ１００の側面図であり、図２は図１の裏面図(背面図)であり、図３は図１を左方より見た側面図であり、本発明による引留クランプ１００は、クランプ本体１、くさび部材２、ハンガーロッド保持体３、及び外観形状がＵ形のハンガーロッド４、を備えて構成される。
【００１２】
図３に示すように、クランプ本体１は、断面逆Ｕ字形に軽量のアルミニウム合金でモールドして製造されるもので、内側に電線把持溝５が形成される。
図１と図３に示すように、電線把持溝５の下部の両側には、くさび部材２の下面の段部２ａと圧接する肩部５ａが形成されていて、電線把持溝５の上面５ｂは電線に外周から当接して把持するように断面が半円形になっている。
また、クランプ本体１の頂部の一端には、ハンマーによるくさび部材２への打ち込み用のための突起７が形成される。
【００１３】
くさび部材２は、くさび部８とこのくさび部８に連続した一体の引留部１０とを備え、そして、図３に示すように、くさび部８は、段部２ａ間の中央平坦下面２ｂと、電線の断面円形の外形に合わせた湾曲上面２ｃとを有し、図１に示すように、その段部２ａ間の中央平坦下面２ｂは、左下方に傾斜する状態になるように構成される。
【００１４】
また、くさび部材２の引留部１０は、くさび部８の基部よりも下方に突出しており、上部には電線長手方向に直角する横方向(水平方向)に貫通する抜止め孔１１が形成され、この抜止め孔１１には、クランプ本体１の図１の右側方向への抜け出しを防止するために、せむしピン１２が挿入される。
【００１５】
クランプ本体１は、図１のくさび部８の右端の薄肉部より左方へ向けて、くさび部８に嵌め込むことができるが、やがて、くさび部材２の左方の厚肉部の上面がクランプ溝５の両側内壁に接するから、それ以上左方へは動けなくなる。
一方、クランプ本体１は右方へは自由に移動できるので、クランプ本体１とくさび部８との間に電線を介在させた後、せむしピン１２を抜止め孔１１に挿入することにより、クランプ本体１及びくさび部８は、せむしピン１２によって左右への相互の移動を制限されて、電線から外れなくなる。
【００１６】
また、前述したくさび部材２の引留部１０内には、連結ピン１５の先端部を挿入できる接手孔１３が形成されており、その外部は圧縮固定用の円筒部１４となっている。
そして、ハンガーロッド保持体３は、図２に示すように横長の部材であって、連結ピン１５を回転自在に貫通できる貫通孔が形成されているが、この連結ピン１５は抜け止め用の丸頭１５ａを有するので、連結ピン１５がハンガーロッド保持体３から抜け出すことはない。
【００１７】
図４に示すように、連結ピン１５の先端部には多数の環状抜け止め歯１５ｂが形成されているが、各環状抜け止め歯１５ｂは図示のように抜け止め方向に鋭角となっている構成であり、ねじ山で代用しようとしても、ねじ山では連結ピン１５に回転力が加わると、外れてしまう危険があるので、ねじ山のものは採用できない。
この環状抜け止め歯１５ｂが形成された連結ピン１５の先端部は、引留部１０の接手孔１３に挿入された後、円筒部１４を多角形、例えば断面六角形に圧縮して接手孔１３の内壁を環状抜け止め歯１５ｂに喰い込ませると、連結ピン１５は強固に引留部１０に固定されることになる。
【００１８】
ハンガーロッド保持体３は、両側にロッド孔１７を有し、ロッド孔１７はそれぞれその側方に薄い切れ目１８を有しているが、この切れ目１８の幅はロッド孔１７の直径より小である。
ハンガーロッド４は、金属棒をＵ字形に曲げたものであり、その両端部を残して中央のかなりの部分は、絶縁材料で被覆したハンガー絶縁部が形成される。
【００１９】
また、ハンガーロッド４は、Ｕ字形に曲げた左方にある両端には、頭部２１と、この頭部２１に続く円形断面部２２とを有する。
ハンガーロッド４の円形断面部２２は、頭部２１の径より小さい径からなり、ハンガーロッド保持体３のロッド孔１７と滑嵌合しうる径を有し、ハンガーロッド４の円形断面部２２に続く薄肉部２３が、切れ目１８を通過することによって、ロッド孔１７と嵌合している。
【００２０】
ここで、ハンガーロッド４は、クランプ本体１とくさび部材２に対して、回動可能に支持される必要があるので、ハンガーロッド保持体３はこれを貫通する連結ピン１５ａによりくさび部材２に対して回動可能に取付けられ、連結ピン１５ａの先端部は円筒部１４に打ち込まれてくさび部材２に連結され、ハンガーロッド保持体３とくさび部材２とは抜けないように連結接続されて構成される。
【００２１】
本発明による電線引留クランプ１００を用いて、電線を電柱等に引き留めるには、クランプ本体１とくさび部材２とは分離しておき、図６に示すように、ハンガーロッド４を電柱２４に固定された碍子２５に取付け、くさび部材２を電柱に連結すればよい。
次に、電線の絶縁被覆を除去した撚線導体Ｗを、クランプ本体１の電線把持溝５内に係合させ、図１のように、クランプ本体１をくさび部材２のくさび部８に右方より嵌め込む。この状態で、せむしピン１２を抜止め孔１１に挿入できる場合では、電線からクランプ本体１及びくさび部材２がバラバラになって分解することがなく、作業中の不用意な落下を防止できる。
続いて、ハンマーでクランプ本体１の突起７の右面を打ち、撚線導体Ｗをくさび部８との間で固定する。最後にせむしピン１２を抜止め孔１１に挿入してクランプ本体１の抜け止めを行うことにより、引留め作業が終了し、作業完了の確認ができる。
【００２２】
そして、図５に示すようにして電線引留クランプによる引留め作業が終了したとき、最終的には、電線引留クランプ１００のクランプ本体１には絶縁カバーを被せることになるが、このとき、ハンガーロッド４の引留側の部分はその絶縁カバーから露出する構造となっている。この露出した充電部を多い隠すものが、ハンガーロッド４のハンガー絶縁部であり、ハンガーロッド４に絶縁部(絶縁層)を設けた目的である。
【００２３】
本発明では、電線引留クランプにおいて、ハンガーロッド４０のハンガー絶縁部４２をポリエチレン材料で構成している。
図６は、ハンガー絶縁部４２のポリエチレン化を示す図であり、このハンガーロッド４０は、心金４１を基体(中心体)とし、その外周層としてポリエチレン層４２を形成したものである。
【００２４】
ハンガーロッド４０の心金４１としてはＳＵＳ材などを用い、両端の頭部(ｔ１,ｔ２)と直線状の線状部４１Ａとからなる線状部材として、断面円形の細長い棒体状に形成される。
また、頭部(ｔ１,ｔ２)は、線状部４１Ａの断面径よりも大きくして、線状体から外周側へ突出する形状とし、球体切欠き形状や薄厚の直方体などの適宜な形状にして形成される。
ハンガー絶縁部４２を有するハンガーロッド４０は、全体として外観がＵ字形の形状に成形されて、この頭部(ｔ１,ｔ２)がロッド保持体３に係止されたときに、ハンガーロッド４０とロッド保持体３とが連結接続が構成される。
また、このハンガー絶縁部４２は、心金４１の線状部４１Ａの外径を５ｍｍ程度としたとき、ハンガー絶縁部４２の外周層の厚みは１mm以上になるように確保することが好ましい。
【００２５】
本発明では、電線引留クランプのハンガーロッド４０において、ポリエチレン材料からなるハンガー絶縁部４２を外周層として形成したものであり、射出成形手段を備える機械を用いて心金４１の外周上に形成することが好ましい。
本発明の射出成形機(射出成形手段)は、ポリエチレン材料を加熱することで材料を溶解させ、溶解した材料に高圧をかけることで金型内に射出注入し、注入後に冷却することで材料を固体化させて製品を製造するための設備である。
本発明では、射出成形前に成形金型内部に心金４１をセッティングした上で射出成形を行い、心金の外周にPE層を形成して製品を得る、モールド成形を採用している。
これにより、本発明では、従来の塩ビのディッピングとは異なり、一定の圧力をかけた状態で成形を行うため、均一な肉厚のPE層を形成した製品を効率良く得ることが可能である。
【符号の説明】
【００２６】
１  クランプ本体
２  くさび部材
２ａ  段部
２ｂ  中央平坦下面
２ｃ  湾曲上面
３    ハンガーロッド保持体
４    ハンガーロッド
５    クランプ本体１の電線把持溝（クランプ溝）
５ａ  肩部
５ｂ  上面（鋸歯突条あり）
７    打ち込み用突起
８    くさび部材２のくさび部
１０  くさび部材２の引留部
１２  せむしピン
１３  接手孔
１４  円筒部
１５  連結ピン
１５ａ  丸頭
１５ｂ  環状抜け止め歯
１７  ロッド孔
１８  切れ目
２１  頭部
２２  円形断面部
２３  薄肉部
２４  電柱（支持物）
２５  碍子
Ｗ    撚線導体
４０  ハンガーロッド
４１  心金 (中心体)
４１Ａ  心金４１の線状部
ｔ１,ｔ２    心金４１の両端の頭部(ｔ１,ｔ２)
４２    ハンガー絶縁部 (ポリエチレン層、外周層)
【図１】
0005415845.tif 000002
【図２】
0005415845.tif 000003
【図３】
0005415845.tif 000004
【図４】
0005415845.tif 000005
【図５】
0005415845.tif 000006
【図６】
0005415845.tif 000007